(57)【特許請求の範囲】
【請求項１】
マット本体と、該マット本体に取付けられたエアバッグと、該エアバッグにエアを供給するための駆動部と、前記エアバッグ及び前記駆動部を収容して前記マット本体を覆う袋状のカバーとを備え、前記駆動部が給排気部と制御部とを有するマット型エアマッサージャーであって、
前記マット本体は、胴部載置部と、この胴部載置部の一端の中央部に設けられるとともに前記胴部載置部の長手方向に突出し且つ前記胴部載置部の幅より狭い幅の足先載置部とを有し、
袋状の前記カバーが一端側に前記マット本体を挿入する開口部を有し、
前記給排気部と制御部とをそれぞれ保持し且つ前記足先載置部の両側方に配置される一対の保持部を前記カバー内の前記開口部近傍に設け、
前記一対の保持部は、相対向する側に前記給排気部または制御部を挿入する開口をそれぞれ有し、
前記足先載置部を一対の保持部の間に嵌着させてこの一対の保持部の各開口を塞いだことを特徴とするマット型エアマッサージャー。
【請求項２】
前記保持部が、帯状生地の両端部を前記カバーに固定して構成されていることを特徴とする請求項１に記載のマット型エアマッサージャー。
【発明の詳細な説明】
【０００１】
【発明の属する技術分野】
この発明は、寝た姿勢で人体の各部をマッサージするマット型エアマッサージャーに関するものである。
【０００２】
【従来の技術】
従来、寝た姿勢で人体の各部をマッサージするマット型エアマッサージャーには、図７に示すようなものがある。このマット型エアマッサージャーは、平面視ほぼ長方形状をしたベースボード１の周縁部にサイドフレーム２を設けてマット本体３を形成し、このマット本体３のベースボード１部分に複数のエアバッグ４を配設し、マット本体３の足側にエアバッグ４の駆動部５をネジ止めし、この駆動部５をハードカバー６で覆った構成を備えている。そして、サイドフレーム２の表面などをクッション材７で覆うと共に、マット本体３を一端側に開口部８を有するカバー９に足側から収容するようになっている。なお、符号１０はリモコンである。
【０００３】
【発明が解決しようとする課題】
しかしながら、このような従来のマット型エアマッサージャーでは、マット本体３が硬質の板材や金属フレームなどによって構成されていたため、硬すぎて感触が悪く、そのまま寝具として使用することはできなかった。また、マット本体３を折り畳んで収納するようなこともできなかった。更に、マット本体３における足位置よりも先に駆動部５を取付けていたため、全長が長くなっていた。
【０００４】
そこで、マッサージャーとしても寝具としても使用することができるようにするため、軟質のマットにエアバッグと駆動部とを取付けたマット型エアマッサージャーの開発が進められている。この際、マットの足側に凹部を形成してこの凹部に駆動部を収容する構造が考えられる。しかし、このように凹部に駆動部を収容する構成を採用すると、カバーに頭側からマットを入れようとした時に、マットが軟質であることにより足側で駆動部が暴れて凹部から飛出しマットをうまく挿入できないので、製造に手間がかかるという問題が生じてしまう。また、単に凹部に駆動部を収容しただけでは、マットを折り畳んで収納しようとした時に駆動部が凹部から脱落するという問題が生じる。
【０００５】
なお、駆動部からは電源コードなどの配線・配管類が外に出るので、カバーにマットを入れる作業は、頭側から行う必要がある。
【０００６】
そこで、本発明の目的は、上記の問題点を解消し、軟質のマットにエアバッグと駆動部とを取付けた構造とした場合に、カバーにマットを容易に入れることができるようにしたマット型エアマッサージャーを提供することにある。
【０００７】
【課題を解決するための手段】
上記課題を解決するために、請求項１に記載された発明では、マット本体と、該マット本体に取付けられたエアバッグと、該エアバッグにエアを供給するための駆動部と、前記エアバッグ及び前記駆動部を収容して前記マット本体を覆う袋状のカバーとを備え、前記駆動部が給排気部と制御部とを有するマット型エアマッサージャーであって、
前記マット本体は、胴部載置部と、この胴部載置部の一端の中央部に設けられるとともに前記胴部載置部の長手方向に突出し且つ前記胴部載置部の幅より狭い幅の足先載置部とを有し、
袋状の前記カバーが一端側に前記マット本体を挿入する開口部を有し、
前記給排気部と制御部とをそれぞれ保持し且つ前記足先載置部の両側方に配置される一対の保持部を前記カバー内の前記開口部近傍に設け、
前記一対の保持部は、相対向する側に前記給排気部または制御部を挿入する開口をそれぞれ有し、
前記足先載置部を一対の保持部の間に嵌着させてこの一対の保持部の各開口を塞いだことを特徴とする。
【０００８】
このように構成された請求項１にかかる発明によれば、前記カバーの開口部近傍に設けた保持部に駆動部を保持させることにより、駆動部がおもりとなってカバーの開口部の位置を安定させることができるので、カバーにマット本体を挿入する作業を容易に行うことができる。また、カバーの開口部近傍に設けた保持部に駆動部を保持させる構造とすることにより、使用・保管・収納時における駆動部の移動を確実に防止できると共に、メンテナンス時に容易に駆動部を取出し、メンテナンス後に再び元の状態に戻すことができる。
【０００９】
請求項２に記載された発明では、前記保持部が、帯状生地の両端部を前記カバーに固定して構成されていることを特徴とする。
【００１０】
このように構成された請求項１にかかる発明によれば、前記カバーの開口部の両側部分に設けた保持部に給排気部と制御部とをそれぞれ保持させることにより、カバーの開口部を開いた状態で安定させることができるので、カバーにマット本体を挿入する作業を一層容易に行うことができる。また、カバーの開口部の両側部分にそれぞれ保持された給排気部と制御部との間に足を載せる部分を確保することができるので、マット本体の全長を短く構成することが可能となる。
また、請求項１に記載された発明では、前記給排気部と制御部との間に前記マット本体の凸型に形成された一端部を嵌着させて、該マット本体の一端部によって前記保持部の対向する開口部分を塞いだことを特徴としている。
このように構成された請求項１にかかる発明によれば、前記給排気部と制御部との間にマット本体の一端部を嵌着させることにより足を載せる部分が確保されるので、マット本体の全長を短く構成することが可能となる。また、保持部の対向する開口部分をマット本体の一端部で塞ぐことによって、使用時や収納時に保持部の対向する開口部分から給排気部や制御部が脱落するのを防止することができる。
【００１１】
請求項２に記載された発明では、前記保持部が、帯状生地の少なくとも前記カバーに対するマット本体挿入方向の両端部を前記カバーに固定することにより構成されていることを特徴としている。
【００１２】
このように構成された請求項２にかかる発明によれば、少なくともマット本体挿入方向の両端部をカバーに固定された帯状生地にて保持部を構成することにより、カバーにマット本体を挿入する際に給排気部や制御部がマット本体挿入方向や上下方向へ動くのが防止されるので、組立時に給排気部や制御部が保持部から脱落し難い構成とすることができる。
【００１５】
【発明の実施の形態】
以下、本発明の具体的な実施の形態について、図示例と共に説明する。
【００１６】
図１〜図６は、この発明の実施の形態を示すものである。
【００１７】
まず、構成を説明すると、この実施の形態のマット型エアマッサージャー２１は、図１、図２に示すように、使用者２２が仰向けに寝た姿勢で上に載って使用する平面視ほぼ長方形状をした軟質のマット本体２３と、枕状に構成されて首をマッサージ可能なエアバッグ２４と、マット型エアマッサージャー２１を操作するリモコン２５と、マット型エアマッサージャー２１に電力を供給するための電源コード２６とを有している。
【００１８】
マット本体２３は、長手方向２７の一端側を使用者２２の足側２８、他端側を頭側２９として使用するよう構成されている。このマット本体２３は、図３に示すように、発泡ウレタン製などの厚肉クッション材３１と、この厚肉クッション材３１の上面に配設された発泡ウレタン製などの薄肉クッション材３２とを備えている。
【００１９】
厚肉クッション材３１は、平面視ほぼ長方形状のマット本体２３に対し足側２８の両側部分がほぼＬ字状に切欠かれた形状となっており、全体として凸型を呈している。なお、この切欠部分３３は、後述する駆動部３４を収容可能な大きさとする。図３では、厚肉クッション材３１は、２つの矩形状部材３５，３６により凸型に構成している。２つの矩形状部材３５，３６は、分離されており、それぞれ胴部載置部と足先載置部として機能する（以下、必要に応じてそれぞれ胴部載置部３５と足先載置部３６という）。厚肉クッション材３１は、薄肉クッション材３２に当接する上面がほぼ平坦面とされている。また、胴部載置部３５の下面には複数の突起３７がほぼ規則的に形成されて、マット本体２３をほぼ任意の位置で折畳み可能としている。薄肉クッション材３２は、マット本体２３とほぼ同形状の平面視ほぼ長方形状をしており、厚肉クッション材３１の切欠部分３３をも上方から覆い得るようになっている。このマット本体２３は、全体として敷布団やベッドマットなどの寝具用マットとほぼ同様のサイズに形成するのが好ましい。また、足側２８から頭側２９まで、ほぼ均一の厚みとするのが好ましい。
【００２０】
このマット本体２３には、厚肉クッション材３１と薄肉クッション材３２との間に、膨張・収縮によってマッサージを行うエアバッグ４１〜４３や、振動によってマッサージを行うバイブレータユニット４４〜４６などの施療具が適宜配設されている。図３では、エアバッグ４１〜４３は、肩部に１つ、腰部に左右１つずつの合計３つ設けられている。なお、肩部のエアバッグ４１〜４３は、左右を連通した大きさおよび構造を有している。また、腰部のエアバッグ４１〜４３は、左右が独立状態を保持して連結されている。また、腰部のエアバッグ４１〜４３は、連結部分の上下に位置決め用の切欠４７を有している。各エアバッグ４１〜４３は、ベース４８に取付けられた収納袋４９，５０にそれぞれ側方から出入自在に収容されている。エアバッグ４１〜４３を出し入れする開口部５１は、各収納袋４９，５０の裏面側に形成されており、開口部５１は、図４に示すように、縁部５２，５２どうしを重複させることにより、エアバッグ４１〜４３を入れた時に閉じた状態となるよう構成されている。そして、肩部用の収納袋４９は、頭側２９の辺をベース４８に縫製線５３により縫製固定されている。腰部用の収納袋５０は、頭側２９と足側２８における幅中央部分の一部をベース４８に縫製線５４により縫製固定されており、この縫製線５４部分に位置決め用の切欠４７を係止させるようになっている。
【００２１】
また、バイブレータユニット４４〜４６は、腰部に１つ、足部に左右１つずつの合計３つ設けられている。このバイブレータユニット４４〜４６は、偏心重錘回転機構５６と振動板５７と偏心重錘回転機構５６を振動板５７に取付ける固定部材５８とを備えている。
【００２２】
このエアバッグ４１〜４３やバイブレータユニット４４〜４６などの施療具は、駆動部３４によって駆動されるようになっている。駆動部３４は、給排気部６１と制御部６２とに別れている。給排気部６１は、図５に示すように、エアポンプ６３とロータリーバルブ６４とを長手方向２７へ延びるほぼ長方形状をしたケース６５の内部に収容した構造を備えている。このロータリーバルブ６４は、エアホース６６〜６８を介して各エアバッグ４１〜４３に接続され、エアポンプ６３からの圧縮エアをエアバッグ４１〜４３へ供給したり、エアバッグ４１〜４３内のエアを大気に放出したりするのに使用される。このロータリーバルブ６４には周知の構造が採用される。
【００２３】
制御部６２は、電源回路を含む演算制御回路７１を長手方向２７へ延びるほぼ長方形状をしたケース７２の内部に収容すると共に、コネクタ部７３をケース７２の側面に固定した構造を備えている。演算制御回路７１には電源コード２６の一端が接続され、電源コード２６の他端はケース７２を介して外部へ取出されている。電源コード２６の他端には商用電源のコンセントに接続可能な電源プラグ７４が取付けられている。演算制御回路７１は、エアポンプ６３およびロータリーバルブ６４に接続されてエアバッグ４１〜４３およびロータリーバルブ６４を作動制御し得るようになっている。また、演算制御回路７１は、バイブレータユニット４４〜４６に接続されてバイブレータユニット４４〜４６を作動制御し得るようになっている。また、コネクタ部７３には、エアホース用の接続口７５とリモコン用の接続口７６とが設けられている。エアホース用の接続口７５は、エアホース７７を介してロータリーバルブ６４に接続されており、枕状に構成されて首をマッサージ可能なエアバッグ２４のエアホース７８先端に取付けたコネクタ７９を接続し得るようになっている。また、リモコン用の接続口７６には、リモコン２５の接続コード８１の先端に設けたプラグ８２を接続するようになっている。
【００２４】
そして、このマット型エアマッサージャー２１は、図６に示すように、エアバッグ４１〜４３及び駆動部３４を収容してマット本体２３のほぼ全体を覆う袋状のカバー８５を備えている。この袋状のカバー８５は、中カバー８６と外カバー８７との二重構造としてもよい。二重構造とした場合には、中カバー８６と外カバー８７とはほぼ同様の構造とする。各カバー８５は、マット本体２３とほぼ同形の平面視ほぼ長方形状をした袋状をしており、一端側（足側２８）にはマット本体２３を頭側２９から長手方向２７へ挿入させる開口部８８，８９を有している。この開口部８８，８９の端部は、中カバー８６一端側の両側部の途中、ほぼ１／３部にまで達している。そして、この開口部８８，８９には、開口部８８，８９のほぼ全長に亘るスライドファスナー９０，９１が取付けられている。なお、図３では、図面の都合上、中カバー８６の上半分は省略されている。
【００２５】
また、特に、中カバー８６の内面側の開口部８８近傍には、駆動部３４を保持する保持部９５が設けられている。この保持部９５は、厚肉クッション材３１の切欠部分３３に対応する開口部８８の両側部分に一対形成されて、給排気部６１および制御部６２を分散収納し得るようにしている。各保持部９５は、長手方向２７へ延びる帯状生地９６の少なくとも長手方向２７（カバー８５に対するマット本体２３挿入方向）の両端部をカバー８５に縫製線９７で縫製して固定することにより構成されている。この際、各保持部９５は、外側辺を縫製してポケット状にしてもよい。或いは、外側の開口部分を中カバー８６の対応するコーナー部に取付けた平面視ほぼＬ字状の保護用クッション９８で塞ぐようにしてもよい。いずれの場合も、保持部９５の少なくとも内側部には駆動部３４を出入させる開口部分９９が形成される。
【００２６】
そして、中カバー８６にマット本体２３挿入後、給排気部６１と制御部６２との間に凸型に構成された厚肉クッション材３１の足先載置部３６を嵌着させて、足先載置部３６の両側部によって保持部９５の対向する開口部分９９を塞ぐようにする。また、給排気部６１と制御部６２との上部を薄肉クッション材３２で覆うようにする。この際、足先載置部３６に、給排気部６１と制御部６２との間を接続する配線・配管類を収容する図示しない凹部を設けるようにする。また、カバー８５の一端側に、コネクタ部７３や電源コード２６を取出す図示しない取出口を設けるようにする。
【００２７】
次に、この実施の形態の作用について説明する。
【００２８】
使用に先立って、枕状に構成されて首をマッサージ可能なエアバッグ２４を用意し、このエアバッグ２４のエアホース７８先端に取付けられたコネクタ７９をエアホース用の接続口７５に接続し、リモコン２５の接続コード８１の先端に設けられたプラグ８２をリモコン用の接続口７６に接続する。また、電源コード２６の他端の電源プラグ７４を商用電源のコンセントに接続する。
【００２９】
そして、マット本体２３上に使用者２２が仰向けに寝て、枕状に構成されたエアバッグ２４を首の位置に配置し、リモコン２５を操作すると、演算制御回路７１がエアバッグ４１〜４３およびバイブレータユニット４４〜４６を作動制御し、エアバッグ４１〜４３が適宜膨張・収縮することによって首、肩、腰を適宜マッサージすると共に、バイブレータユニット４４〜４６が適宜振動して腰、足をマッサージする。
【００３０】
マット本体２３の組立時には、中カバー８６の開口部８８に設けた保持部９５に駆動部３４を保持させ、保持部９５に駆動部３４が保持されたら、図６に示すように、中カバー８６の開口部８８へマット本体２３の胴部載置部３５を頭側２９から長手方向２７に挿入し、次に、保持部９５の駆動部３４間に足先載置部３６を挿入する。こうして中カバー８６にマット本体２３が収容されたら、スライドファスナー９０を閉じる。次に、外カバー８７の開口部８９へ中カバー８６に入ったマット本体２３を頭側２９から長手方向２７に挿入し、外カバー８７にマット本体２３が収容されたら、スライドファスナー９１を閉じる。
【００３１】
この実施の形態では、最初に中カバー８６の開口部８８近傍に設けた保持部９５に駆動部３４を保持させておくことにより、駆動部３４がおもりとなって中カバー８６の開口部８８の位置を安定させることができるので、中カバー８６にマット本体２３を挿入する作業を容易に行うことができる。
【００３２】
この際、中カバー８６の開口部８８の両側部分に設けた左右一対の保持部９５に給排気部６１と制御部６２とを分散ししてそれぞれ保持させることにより、中カバー８６の開口部８８を開いた状態で安定させることができるので、中カバー８６にマット本体２３を挿入する作業を一層容易に行うことができる。
【００３３】
また、中カバー８６の開口部８８の両側部分にそれぞれ保持された給排気部６１と制御部６２との間に足を載せる部分を確保することができるので、足先に駆動部３４が位置するようなことがなく、マット本体２３の全長を短く構成することが可能となる。
【００３４】
更に、少なくともマット本体２３挿入方向の両端部を中カバー８６に固定された帯状生地９６にて保持部９５を構成することにより、中カバー８６にマット本体２３を挿入する際に給排気部６１や制御部６２がマット本体２３挿入方向や上下方向へ動くのが防止されるので、組立時に給排気部６１や制御部６２が保持部９５から脱落し難い構成とすることができる。この際、給排気部６１や制御部６２は、内側部の開口部分９９から保持部９５へ挿入するようにする。
【００３５】
そして、給排気部６１と制御部６２との間にマット本体２３の一端部（凸型に形成された厚肉クッション材３１の足先載置部３６）を嵌着させることにより足を載せる部分が確保されるので、足先に駆動部３４が位置するようなことがなく、マット本体２３の全長を短く構成することが可能となる。よって、マット型エアマッサージャー２１を敷布団やベッドマットなどの寝具用マットとほぼ同様のサイズおよび厚さにまとめることができる。そして、マット本体２３は全体が柔らかいのでそのまま寝具として使用することが可能となる。また、厚肉クッション材３１に形成した突起３７によりマット本体２３を任意の位置で折り畳んで収納することも可能となり、格段に機能性の高いものとなる。
【００３６】
また、保持部９５の対向する開口部分９９をマット本体２３の一端部（足先載置部３６）で塞ぐことによって、マット本体２３が上下方向や長手方向２７に加えて左右方向に動くことが防止されるので、使用時や収納時に保持部９５の対向する開口部分９９から給排気部６１や制御部６２が脱落するのを防止することができる。
【００３７】
また、この実施の形態の場合、中カバー８６にマット本体２３の胴部載置部３５を頭側２９から長手方向２７に挿入した後に、保持部９５に駆動部３４を保持させ、保持部９５の駆動部３４間に足先載置部３６を挿入することも可能である。このように、この実施の形態では、カバー８５にマット本体２３を挿入する作業に多様性を持たせることができる。
【００３８】
更に、中カバー８６の開口部８８近傍に設けた保持部９５に駆動部３４を保持させる構造とすることにより、使用・保管・収納時における駆動部３４の移動や位置ずれを確実に防止できると共に、メンテナンス時に容易に駆動部３４を取出し、メンテナンス後に再び元の状態に戻すことができる。これに対し、マット本体２３の側に駆動部３４を保持させた場合には、駆動部３４のマット本体２３への固定に特別の工夫を要すると共に、上記固定部分を壊さなければメンテナンス時に駆動部３４を取出せないものとなってしまう。また、上記固定部分を壊したことにより、メンテナンス後に元の状態に戻すことができなくなってしまう。
【００３９】
【発明の効果】
以上説明してきたように、請求項１の発明によれば、カバーの開口部近傍に設けた保持部に駆動部を保持させることにより、駆動部がおもりとなってカバーの開口部の位置を安定させることができるので、カバーにマット本体を挿入する作業を容易に行うことができる。また、カバーの開口部近傍に設けた保持部に駆動部を保持させる構造とすることにより、使用・保管・収納時における駆動部の移動を確実に防止できると共に、メンテナンス時に容易に駆動部を取出し、メンテナンス後に再び元の状態に戻すことができる。
【００４０】
また、請求項１の発明によれば、カバーの開口部の両側部分に設けた保持部に給排気部と制御部とをそれぞれ保持させることにより、カバーの開口部を開いた状態で安定させることができるので、カバーにマット本体を挿入する作業を一層容易に行うことができる。また、カバーの開口部の両側部分にそれぞれ保持された給排気部と制御部との間に足を載せる部分を確保することができるので、マット本体の全長を短く構成することが可能となる。
更に、請求項１の発明によれば、給排気部と制御部との間にマット本体の一端部を嵌着させることにより足を載せる部分が確保されるので、マット本体の全長を短く構成することが可能となる。また、保持部の対向する開口部分をマット本体の一端部で塞ぐことによって、使用時や収納時に保持部の対向する開口部分から給排気部や制御部が脱落するのを防止することができる。
【００４１】
請求項２の発明によれば、少なくともマット本体挿入方向の両端部をカバーに固定された帯状生地にて保持部を構成することにより、カバーにマット本体を挿入する際に給排気部や制御部がマット本体挿入方向や上下方向へ動くのが防止されるので、組立時に給排気部や制御部が保持部から脱落し難い構成とすることができる。
【図面の簡単な説明】
【図１】本発明の実施の形態の斜視図である。
【図２】図１の内部構成を示す図である。
【図３】図２の一部省略した分解図である。
【図４】図３のＡ−Ａ断面図である。
【図５】図２の駆動部の系統図である。
【図６】カバーの取付状態を示す分解斜視図である。
【図７】従来例の斜視図である。
【符号の説明】
２３  マット本体
３４  駆動部
４１  エアバッグ
４２  エアバッグ
４３  エアバッグ
６１  給排気部
６２  制御部
８５  カバー
８８  開口部
９５  保持部
９６  帯状生地
９９  開口部分
【図１】
0003866027.tif 000002
【図２】
0003866027.tif 000003
【図３】
0003866027.tif 000004
【図４】
0003866027.tif 000005
【図５】
0003866027.tif 000006
【図６】
0003866027.tif 000007
【図７】
0003866027.tif 000008